(57)【要約】液体物質を包含するための複数のチャンバーを定義する複数のサブ容器部（４）と、複数のサブ容器部の下流の混合チャンバー（１０）と、複数のサブ容器部から１つまたは複数の液体物質を選択するための選択機構と、１つのサブ容器部からの単体の液体物質製品、または２つ以上の複数のサブ容器部（４）からの液体物質の混合物を調合するための噴霧アクチュエーター（６）とを含み、複数のサブ容器部（４）は容器ユニットから個別に取り外し可能である、容器ユニット（２）。
2020520779.tif 000002
【特許請求の範囲】
【請求項１】
液体物質を包含するための複数のチャンバーを定義する複数のサブ容器部と、前記複数のサブ容器部の下流の混合チャンバーと、前記複数のサブ容器部から１つまたは複数の液体物質を選択するための選択機構と、１つのサブ容器部からの単体の液体物質製品、または２つ以上の前記複数のサブ容器部からの液体物質の混合物を調合するための噴霧アクチュエーターとを含み、前記複数のサブ容器部は前記容器ユニットから個別に取り外し可能である、容器ユニット。
【請求項２】
前記選択機構は、手動操作可能な選択可能なバルブ装置である、請求項１に記載の容器ユニット。
【請求項３】
前記手動で選択可能なバルブ装置は、押しボタンを含む、請求項２に記載の容器。
【請求項４】
前記選択機構は、自動操作可能な選択可能なバルブ装置である、請求項１に記載の容器。
【請求項５】
前記選択機構は、電子計算機に格納されたソフトウェアアプリケーションによって電子的に制御される、請求項４に記載の容器ユニット。
【請求項６】
それぞれの前記複数のサブ容器部の中に延在する複数の浸漬チューブをさらに備え、前記複数のサブ容器部の各々の中の複数の液体物質の任意の必要な組合せを選択するために、前記選択機構は、個々の前記複数の浸漬チューブを開閉可能にする、請求項１〜５のいずれかに記載の容器ユニット。
【請求項７】
前記選択機構は、サブ容器部の各々のための手動操作可能な複数のスイッチ装置の各々を含む、請求項１に記載の容器ユニット。
【請求項８】
それぞれのスイッチは、下方に突出した複数のフィンの組を含み、前記スイッチ装置がオンの位置にある場合に、前記複数のフィンはアクチュエーターユニットに作用する、請求項７に記載の容器ユニット。
【請求項９】
前記複数のサブ容器部は、異なる内部容積である、請求項１〜８のいずれかに記載の容器ユニット。
【請求項１０】
前記複数のサブ容器部は異なる形状である、請求項６〜９のいずれかに記載の容器ユニット。
【請求項１１】
第１のサブ容器部は第１の形状であり、他の複数のサブ容器部の組は第２の形状である、請求項１０に記載の容器ユニット。
【請求項１２】
前記異なる形状の複数の容器は、異なる内部堆積を有する、請求項９に従属する請求項１０または１１に記載の容器ユニット。
【請求項１３】
それぞれのサブ容器部に取り付けられた予圧ポンプをさらに備えた、請求項６〜１２のいずれかに記載の容器ユニット。
【請求項１４】
前記スイッチ装置がオンの位置にある場合に、前記アクチュエーターユニットは前記予圧ポンプを作動させる働きをする、請求項８に従属する請求項１３に記載の容器ユニット。
【請求項１５】
サブ容器部の各々に接続され、前記液体物質のリンクとブレンドとの両方を行う働きをするマニフォルドをさらに備えた、請求項６〜１４のいずれかに記載の容器ユニット。
【請求項１６】
前記複数のサブ容器部をまとめるフレームワークをさらに備えた、請求項１〜１５のいずれかに記載の容器ユニット。
【請求項１７】
前記容器の複数のサブ部は、隣接する容器のサブ部に接続するための手段を備える、請求項１〜４のいずれかに記載の容器ユニット。
【請求項１８】
異なる複数の容器ユニットは、男性および女性の芳香剤容器ユニットを定義し、前記男性の芳香剤容器ユニットの前記複数のサブ容器部は、前記女性の芳香剤容器ユニットのための前記容器ユニットにフィットしない、請求項１〜１７のいずれかに記載の容器ユニット。
【請求項１９】
サブ容器部の各々のための複数の予圧ポンプのそれぞれに取り付けられた前記男性の芳香剤容器ユニットの前記複数の浸漬チューブは、サブ容器部の各々のための女性の芳香剤容器にフィットしないような配置である、請求項１８に記載の容器ユニット。
【発明の詳細な説明】
【技術分野】
【０００１】
本発明は、容器に関し、特に、噴霧される芳香剤のための容器に関する。
【発明の概要】
【課題を解決するための手段】
【０００２】
本発明によれば、液体物質を包含するための複数のチャンバーを定義する複数のサブ容器部と、複数のサブ容器部の下流側の混合チャンバーと、複数のサブ容器部から１つまたは複数の液体物質を選択するための選択機構と、それぞれの複数のサブ容器部のうち１つまたは複数から１つまたは複数の液体物質を調合するための噴霧アクチュエーターとを含み、複数のサブ容器部が容器ユニットから取り外し可能である容器ユニットが提供される。
【０００３】
この側面により、複数のサブ容器部を交換してリサイクルすることができる。
【０００４】
本発明を完全に理解できるようにするために、一例に過ぎない方法で、添付の図面についてここで参照される。
【図面の簡単な説明】
【０００５】
【図１】複数のサブ容器部を備えた芳香剤容器の上から見た模式図を示す。
【図２】芳香剤容器の好ましい実施例の斜視図を示す。
【図３】複数のサブ容器部を示した図２の芳香剤容器の内部の斜視図を示す。
【図４】芳香剤容器の代替バージョンの斜視図を示す。
【図５】芳香剤容器の噴霧機構の詳細の斜視図を示す。
【発明を実施するための形態】
【０００６】
図１を参照して、球状の容器ユニット２は、複数のサブ容器部４を備えており、示されているそのような４つの容器部は、複数の芳香剤液、好ましくは互いに異なる複数の芳香剤液を格納する実質的に等しい複数のチャンバーを形成している。容器ユニット２の上端には、出口ノズル６ａを有する噴霧アクチュエーター６があり、アクチュエーター６は手動または電動である。
【０００７】
対応する数の細径の浸漬チューブ８が、複数のサブ容器部４の中に延在しており、それらのそれぞれの下端領域は液体物質に浸されており、それらのそれぞれの上端領域は混合チャンバー１０に接続されている。アクチュエーター６が操作されると、複数のサブ容器４から１つまたは複数の液体物質が、複数のサブ容器からそれぞれの浸漬チューブ８を通じて混合チャンバー１０の中に出て、そこで１つ以上のサブ容器４からの複数の液体物質が出会うと、アクチュエーター６の出口ノズル６ａから噴霧される混合物をそれらは形成する。
【０００８】
複数のサブ容器部４と混合チャンバー１０との間に動作可能に配置された選択機構１２は、単一の液体芳香剤物質が出口ノズル６ａを通じて噴霧されること、または複数の液体芳香剤物質の混合物が出口ノズル６ａから噴霧されることを可能にしている。そのような選択機構は、手動または自動で操作可能な選択可能なバルブ装置であることができ、バルブ装置は、たとえば１つまたは複数の浸漬チューブ８の上端領域を閉じる単純な押しボタン１４であり、図示したように浸漬チューブ８の各々が独自の押しボタン１４を有していることができる。したがって、単一の芳香剤を噴霧できるようにするためには、４つのサブ容器４のうち３つのボタン１４が押され、それぞれの浸漬チューブ８が閉じられる。同様に、より少ない複数のボタン１４を使用してより少ない浸漬チューブ８が閉じられ、異なる複数のサブ容器部４からの芳香剤の混合物をもたらしてもよい。
【０００９】
押しボタン１４は、閉位置にある場合にさらなる押下に際して浸漬チューブが使用のために開くように、圧縮バネに対して作用してもよい。あるいは、各ボタンは、開位置と閉位置との間でスライド可能である単純なスライド機構であってもよい。
【００１０】
たとえばその中に格納される異なる複数の芳香剤に応じて、異なる複数の内部容積の複数のサブ容器４があってもよい。
【００１１】
複数のサブ容器４は、交換およびリサイクル可能であるように、容器ユニット２全体から取り外し可能である。このようにして、同じ芳香剤を補充したり、複数の芳香剤の新しい組合せを配置したりすることができる。この非常に有利な配置により、複数の芳香剤の異なる複数の組合せの選択および実験が可能となり、お気に入りの複数の芳香剤および複数の芳香剤の組合せの置き換えが可能となる。容器ユニット２は、複数のサブ容器部４を十分にまとめることのできるある形状のフレームワーク（図示しない）を含んでいてもよいし、個別の容器の複数のサブ部４が、隣接するサブ部４と接続する手段を備えていてもよい。
【００１２】
１つまたは複数の芳香剤の出力ミストを形成する機構の１つの形式は、好ましくは噴霧アクチュエーター６によるものであり、この噴霧アクチュエーター６は、流体好ましくは空気の流れを起こし、たとえば細い管の形状の導管に沿って移動させ、浸漬チューブ８の上端領域またはそれぞれの浸漬チューブ８の上端領域にある小さい開口を横切って移動させ、そこで浸漬チューブ８の上端またはそれぞれの浸漬チューブ８の上端の曲がった経路をたどるようにされる。この曲がった経路は、浸漬チューブ８の上端またはそれぞれの浸漬チューブ８の上端における曲がりの内側により低い圧力を作り出す。浸漬チューブ８の上端またはそれぞれの浸漬チューブ８の上端の低減された圧力と、サブ容器４の内部またはそれぞれのサブ容器４の内部のより高い雰囲気の圧力との違いによって、浸漬チューブ８またはそれぞれの浸漬チューブ８に液体が押し上げられ、空気の流れの中に押し出され、そこで小さな液滴に分割され空気の流れで運び去られる。したがって、たとえば、容器２が図示のように４つのサブ容器４を備え、上端が開口である浸漬チューブ８をそれぞれのサブ容器４が持つ場合、噴霧アクチュエーター６の作動時に（手動または自動のいずれも）、４つ全ての開口を横切って流れる空気の流れを起こすことができ、４つのサブ容器４の各々の中の複数の芳香剤の混合物を生じさせる。有利には、サブ容器４の各々の中の複数の芳香剤の任意の必要な組合せを選択できるようにするために、選択機構は、個々の浸漬チューブ８の開閉を可能にする。これにより、４つのサブ容器４の場合、ユーザーは１５種類の芳香剤のバリエーションを混合することができる。複数のサブ部４は取り外し可能であり、芳使用頻度の高い好ましい芳香剤のために交換することができる。
【００１３】
図２を参照して、好ましい実施例の容器ユニット２は、複数のサブ容器部４（３つのサブ容器４のうち２つが図示されている）が保持されるベース部１６を備えている。複数のサブ容器部４はまた、蓋またはヘッド部１８によって保持されており、その上部には噴霧アクチュエーター６が配置されており、前側端部には噴霧ノズル６ａが配置されている。蓋部はまた、選択機構１２を含んでおり、選択機構１２は、単にオン位置またはオフ位置を選択するための、サブ容器部４の各々のためのスイッチ装置の形を取っている。
【００１４】
図３は、図２の容器ユニット２のベース部１６を示しており、ベース部分１６は、ベース１６の中に凹んだそれぞれの収容キャビティ１７に位置する３つのサブ容器部４を保持している。次のように２つの異なるサイズのサブ容器部４が示されている。それらは、第１の形状である前方の第１のサブ容器部４ａであって、示されているものは実質的に円形の円筒断面である第１のサブ容器部４ａと、第２の形状である１組の後方の第２のサブ容器部４ｂであって、示されているものは前方のサブ容器部４ａとは異なる断面のものである第２のサブ容器部４ｂとである。任意の適切な形状を選択できる。あるいは、３つのサブ容器部４の全てを同じ形状およびサイズにすることもできる。異なる形状のボトルを持つ図３に示す実施例に関して、第１および第２のサブ容器部４は、それぞれの芳香剤の異なる容積容量を有することができ、その結果、たとえばより濃縮されより強力な芳香剤を、より小さなサブ容器部４ａの中に包含することができる。
【００１５】
図４を参照して、３つのサブ容器部４の全てが同じ形状およびサイズであり、ベース部１６の複数の収容キャビティ１７によって保持された容器ユニット２の内部部品が示されている。複数のサブ容器部の上に位置するのは、蓋部１８の内部部品であり、噴霧アクチュエーター６と、選択機構１２とを含んでいるように見え、選択機構１２は、サブ容器部４の各々のためのそれぞれのスイッチ装置１４ａを含んでおり、それぞれのスイッチ装置１４ａは、それぞれのサブ容器部４の内部の芳香剤が選択される位置である「オン」位置と、「オフ」位置とに移動可能であるように見える。容器ユニット２のフレームワーク１５もまた、サブ容器部を所定の位置に保持することを助ける。
【００１６】
図５は、蓋部１８の内部に配置された容器ユニット２の噴霧機構を詳細に示している。噴霧アクチュエーター６は、完成した容器ユニット２において最上部の円形ボタンのみが見える噴霧ボタンプレート部の形であり、下向きに押された場合に、選択機構１２にそれぞれのアクチュエーターユニット２０を作動または非作動させる。選択機構は、複数のスイッチ装置１４ａを備えており、複数のスイッチ装置１４ａの各々は、それらの下側に下方に延在した複数のフィン２２の組を有しており、複数のフィン２２は、それぞれのアクチュエートユニット２０の幅よりもわずかに大きい距離で互いに離間しており、その結果、スイッチ装置１４ａが「オフ」位置にあり噴霧アクチュエーター６が押下された場合に、複数のフィン２２の組がアクチュエーターユニット２０の両側を通過し、したがって、芳香剤を作動させてそれぞれのサブ容器部４から出す。しかし、スイッチ装置１４ａが「オン」位置に配置された場合、スイッチ装置１４ａは、例えば約９０度だけ軸を中心に回転し、これにより、複数のフィン２２の組も同じ量だけ回転し、その結果、噴霧アクチュエーター６が押されると、複数のフィン２２の下端がアクチュエーターユニット２０を下向きに押す。これにより選択されたアクチュエーターユニット２０が下方へ動き、予圧ポンプ２６の動作を引き起こすことによりサブ容器部４の内部のある量の芳香剤をチャンバー２４内に散乱させる。
【００１７】
一対のフィン２２の操作は、装置の堅牢な寿命のためのカムに基づいており、サブ容器部４が除去および交換される際の再利用を可能にする。
【００１８】
予圧ポンプ２６の各々は、非常に低い起動圧力を可能にしており、起動時に必要な指の圧力を低減し、ボタン６がどれだけ速くまたは遅く押されるかに関わらず、投与および混合を維持し、一定の用量サイズを生成する。複数の予圧ポンプ２６は、サブ容器部４（または４ａおよび４ｂ）に固定されており、蓋部１８の中に挿入された場合にそれぞれのチャンバー２４と結合する。
【００１９】
本発明の噴霧機構は、芳香剤の混合物を一貫して計量するので、３つのサブ容器部４の７つの組合せの間で切り替える場合に、混合比率は実質的に一定であり、その結果、例として２つのフレグランスを選択した場合、混合物は常に実質的に同じ香りがする。一貫性は、２つの芳香剤の混合で測定量を引き出す予圧ポンプ２６によって達成され、比率は実質的に５０：５０であり、３つ全てが混合される場合、比率はそれぞれの芳香剤の約３分の１であり、それぞれの芳香剤は、複数のフレキシブルチューブ３０によってそれぞれの予圧ポンプ２６に結合されたマニフォルド２８の中に送り込まれ、噴霧ノズル６ａを通じて噴霧される直前に混合チャンバー１０内で混合される。このようにして、マニフォルド２８は、芳香剤の結合と混合の両方の役割りを果たす。このような用量の一貫性は、マニフォルド２８と予圧ポンプ２６との組合せによって達成される。
【００２０】
あるいは、たとえば１０％の第１の芳香剤、５０％の第２の芳香剤、および４０％の第３の芳香剤のように、不均等な混合が達成されるような方法で、用量が手動または電子的に計量されてもよい。そのような混合を提供する１つの有利な方法は、スマートフォンまたはタブレットコンピュータなどの電子コンピュータデバイスのメモリに格納されたソフトウェアアプリケーションを用いて電子的に制御されたスイッチング機構に関するものであり、それによって、スイッチング機構は、ソレノイド作動ポンプなどの１つまたは複数の計量ポンプを含んでいてもよい。このようにして、ユーザーは容器ユニット２に存在する複数の特定の芳香剤を入力することができ、ソフトウェアアプリケーションに必要な混合物をプログラミングすることで正確な混合物を制御することができ、その後、無線または有線接続を介して選択機構と通信することができる。次に、その特定のプログラムされた混合物を容器ユニット２から噴霧することができる。ソフトウェアアプリケーションは、たとえば一年の季節や時期に応じて提案された混合物を提供してもよい。
【００２１】
サブ容器部４の各々は、容器ユニット２から取り外し可能であり、それ自体、交換サブ容器部を置き換えることで補充可能である。これは、たとえば、１つのタイプの混合をユーザーが好むことで、あるサブ容器部４が他のサブ容器部４よりも速く無くなることになる場合に、非常に有利である。ユーザーが複数のサブ容器部を交換できなかった場合、必要以上に多くの廃棄物が発生する可能性がある。そのため、容器ユニット２は「再利用可能」である。
【００２２】
ベース部１６は、有利には、ベース部１６をフレームワーク１５に固定するためのロック装置を含み、手またはキーデバイスでロック装置のロックが外された場合に、ロック装置は、ベース部を取り外して、各サブ容器部４または４ａおよび４ｂにアクセスして交換することができるようにする。
【００２３】
さらなる有利な特徴は、男性および女性に対し別々の容器ユニット２を提供することで生じる。その結果、複数の男性の芳香剤補充サブ容器部４は、複数の女性の芳香剤用の容器ユニット２にフィットせず、その逆も同様である。したがって、安定性の観点から、潜在的に有害なテストされていない混合物を作成することはできない。そのため、男性専用ボトルタイプと女性専用ボトルタイプとがあり、さらにそれらは、複数の予圧ポンプ２６に取り付けられた男性の芳香剤浸漬チューブが女性のボトルにフィットしないように設計されており、その逆も同様である。
【図１】
2020520779.tif 000003
【図２】
2020520779.tif 000004
【図３】
2020520779.tif 000005
【図４】
2020520779.tif 000006
【図５】
2020520779.tif 000007
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
液体物質を包含するための複数のチャンバーを定義する複数のサブ容器部と、前記複数のサブ容器部の下流の混合チャンバーと、オン位置とオフ位置との間で前記複数のサブ容器部から１つまたは複数の液体物質を選択するための選択機構と、前記選択機構に従って１つのサブ容器部からの単体の液体物質製品、または２つ以上の前記複数のサブ容器部からの液体物質の混合物を調合するための噴霧アクチュエーターとを含み、前記噴霧アクチュエーターは噴霧ボタンプレート部を含み、前記噴霧ボタンプレート部は下向きに押された場合に、選択機構にサブ容器部の各々のためのそれぞれのアクチュエーターユニットを作動または非作動させ、前記複数のサブ容器部は前記容器ユニットから個別に取り外し可能である、容器ユニット。
【請求項２】
前記選択機構は、手動操作可能な選択可能なバルブ装置である、請求項１に記載の容器ユニット。
【請求項３】
前記手動で選択可能なバルブ装置は、押しボタンを含む、請求項２に記載の容器。
【請求項４】
前記選択機構は、自動操作可能な選択可能なバルブ装置である、請求項１に記載の容器。
【請求項５】
前記選択機構は、電子計算機に格納されたソフトウェアアプリケーションによって電子的に制御される、請求項４に記載の容器ユニット。
【請求項６】
前記選択機構は、サブ容器部の各々のための手動操作可能な複数のスイッチ装置の各々を含む、請求項１に記載の容器ユニット。
【請求項７】
それぞれのスイッチは、下方に突出した複数のフィンの組を含み、前記スイッチ装置がオンの位置にある場合に、前記複数のフィンは前記アクチュエーターユニットに作用する、請求項６に記載の容器ユニット。
【請求項８】
前記複数のサブ容器部は、異なる内部容積である、請求項１〜７のいずれかに記載の容器ユニット。
【請求項９】
前記複数のサブ容器部は異なる形状である、請求項６〜９のいずれかに記載の容器ユニット。
【請求項１０】
第１のサブ容器部は第１の形状であり、他の複数のサブ容器部の組は第２の形状である、請求項１０に記載の容器ユニット。
【請求項１１】
前記異なる形状の複数の容器は、異なる内部堆積を有する、請求項９に従属する請求項１０または１１に記載の容器ユニット。
【請求項１２】
それぞれのサブ容器部に取り付けられた予圧ポンプをさらに備えた、請求項６〜１２のいずれかに記載の容器ユニット。
【請求項１３】
前記スイッチ装置がオンの位置にある場合に、前記アクチュエーターユニットは前記予圧ポンプを作動させる働きをする、請求項８に従属する請求項１３に記載の容器ユニット。
【請求項１４】
サブ容器部の各々に接続され、前記液体物質のリンクとブレンドとの両方を行う働きをするマニフォルドをさらに備えた、請求項６〜１４のいずれかに記載の容器ユニット。
【請求項１５】
前記複数のサブ容器部をまとめるフレームワークをさらに備えた、請求項１〜１４のいずれかに記載の容器ユニット。
【請求項１６】
前記複数のサブ容器部が保持されるベース部をさらに備えた、請求項１〜１５のいずれかに記載の容器ユニット。
【請求項１７】
前記ベース部は、前記ベース部を前記フレームワークに固定するためのロック装置を含み、前記ロック装置のロックが外された場合に、前記ロック装置は、前記ベース部を取り外して、各サブ容器部にアクセスすることができるようにする、請求項１５に従属する請求項１６に記載の容器ユニット。
【請求項１８】
前記容器の複数のサブ部は、隣接する容器のサブ部に接続するための手段を備える、請求項１〜４のいずれかに記載の容器ユニット。
【請求項１９】
異なる複数の容器ユニットは、男性および女性の芳香剤容器ユニットを定義し、前記男性の芳香剤容器ユニットの前記複数のサブ容器部は、前記女性の芳香剤容器ユニットのための前記容器ユニットにフィットしない、請求項１〜１８のいずれかに記載の容器ユニット。
【請求項２０】
サブ容器部の各々のための複数の予圧ポンプのそれぞれに取り付けられた前記男性の芳香剤容器ユニットの前記複数の浸漬チューブは、サブ容器部の各々のための女性の芳香剤容器にフィットしないような配置である、請求項１９に記載の容器ユニット。
【国際調査報告】
2020520779.tif 000008
2020520779.tif 000009
2020520779.tif 000010